(57)【要約】【課題】  ＣＤ−Ｒの中に記憶されている画像が類推可能なＣＤ−Ｒジャケット印刷を行うことができる記録装置を提供する。【解決手段】  外部接続端子にＣＤ−Ｒを接続可能で接続されたＣＤ−Ｒの記録媒体に保存された画像データを直接印刷可能なＣＤ−Ｒダイレクト印刷機能を有する記録装置において前記記録媒体に含まれる画像データの中から所定の枚数の画像データを自動的に抽出し、その抽出したが画像データを一覧様に印刷する。【選択図】  図２
2006168199.tif 000002
【特許請求の範囲】
【請求項１】
外部接続端子にＣＤ−Ｒを接続可能で接続されたＣＤ−Ｒの記録媒体に保存された画像データを直接印刷可能なＣＤ−Ｒダイレクト印刷機能を有する記録装置において、
前記記録媒体に含まれる画像データの中から所定の枚数の画像データを一覧様に印刷するＣＤ−Ｒジャケット印刷手段と、更にＣＤ−Ｒジャケット印刷機能において前記記録媒体に含まれる画像データの中から所定の枚数の画像データを抽出する際には、前記記録媒体に含まれる画像データから平均的に抽出する画像データ抽出手段と、を有することを特徴とする画像記録装置。
【請求項２】
前記画像データ抽出手段は、インデックス部分の画像数をＭとし、メディア内の総画像数をＮとするとき、Ｎ≦Ｍのときにはメディア内の全画像を印刷するよう画像を抽出することを特徴とする請求項１に記載の画像記録装置。
【請求項３】
前記画像データ抽出手段は、インデックス部分の画像数をＭとし、メディア内の総画像数をＮとし、Ｍ＜Ｎ≦２Ｍのときには、
（ａ）ｐ＝Ｍ／Ｎとし（ｐは１より小さい小数である）、
（ｂ）フレーム１の画像としてメディア内の１番の画像を選択し、
（ｃ）ａ＝ｎ＝１，ｂ＝０．５＋ｐとし、
（ｄ）ｉＶａ＝ａ＋１とする
（ｅ）ｂ＝ｂ＋ｐとする
（ｆ）ｎ＞＝２のフレームＦｒａｍｅ［ｎ］とＩＮＴ（ｂ）を比較し、Ｆｒａｍｅ［ｎ］＝ＩＮＴ（ｂ）ならば（ｄ）の処理へ戻り、
Ｆｒａｍｅ［ｎ］≠ＩＮＴ（ｂ）ならばｎ＝ｎ＋１としＦｒａｍｅ［ｎ］＝ａとし、
（ｇ）ｎ≦Ｍならば（ｄ）の処理へ戻る
という処理により画像を抽出することを特徴とする請求項１または２に記載の画像記録装置。
【請求項４】
前記画像データ抽出手段は、インデックス部分の画像数をＭとし、メディア内の総画像数をＮとし、２Ｍ＜Ｎのときには、
（ａ）ｐ＝Ｎ／Ｍとし（ｐは２より大きい小数である）、
（ｂ）まずフレーム１の画像としてメディア内の１番の画像を選択し、
（ｃ）ｎ＞＝２のフレームｎにはフレームｎ−１の画像番号ｉに対してｉ＋ｐを算出し、フレームｎに画像番号ＩＮＴ（ｉ＋ｐ）を割り当て（（ＩＮＴ（ａ）はａの小数部分を切り捨て整数化する関数））、
（ｄ）フレームＭまで（ｃ）の処理を繰り返すという処理により画像を抽出することを特徴とする請求項１乃至３のいずれかに記載の画像記録装置。
【発明の詳細な説明】
【技術分野】
【０００１】
本発明は画像データ処理装置を備えた画像記録装置に関し，特に外部接続端子にＣＤ−Ｒを接続可能で接続されたＣＤ−Ｒの記録媒体に保存された画像データを直接印刷可能なＣＤ−Ｒダイレクト印刷機能を有する記録装置であって、前記記録媒体に含まれる画像データの中から所定の枚数の画像データを一覧様に印刷するＣＤ−Ｒジャケット印刷機能をする画像記録装置、に関するものである。
【背景技術】
【０００２】
近年、撮影結果としての画像をデジタル画像データに変換して、このデジタル画像データをフラッシュメモリ等の記録媒体に格納するデジタルカメラが普及してきている。
【０００３】
一般に、デジタルカメラで撮影された画像をプリンタで記録するための画像記録システムには、パーソナルコンピュータが用いられ、パーソナルコンピュータはデジタル画像データが格納された記録媒体から画像データを取り込み、該画像データをプリンタが記録処理可能なプリントデータに変換してプリンタへ出力する。
【０００４】
特許文献１には、ＰＣカード内のデータと、デジタルカメラ内のデータを印刷できる機能をもつ印刷装置の構成が開示されている。
【０００５】
この画像記録システムについて図３を参照しながら具体的に説明する。図３は従来の画像記録システムの構成例を示す図である。
【０００６】
画像記録システムは、図３に示すように、デジタルカメラ３０１と、パーソナルコンピュータ３０２と、プリンタ３０３とから構成され、デジタルカメラ３０１とパーソナルコンピュータ３０２とは例えばＲＳ２３２Ｃなどの通信ケーブル３０４を介して通信可能に接続され、パーソナルコンピュータ３０２とプリンタ３０３とは例えばセントロニクスあるいはＵＳＢなどの通信ケーブル３０５を介して通信可能に接続されている。
【０００７】
デジタルカメラ３０１で撮影した画像はデジタル画像データとしてデジタルカメラ３０１に装着されているフラッシュメモリに一時的に格納される。この撮影した画像を記録するときには、まず、デジタルカメラ３０１とパーソナルコンピュータ３０２とが通信ケーブル３０４で接続され、パーソナルコンピュータ３０２上において通信ソフトウェアが起動される。次いで、この通信ソフトウェアによりデジタルカメラ３０１内の通信ソフトウェアとの間で通信が行われ、デジタルカメラ３０１のフラッシュメモリに格納されているデジタル画像データが通信ケーブル３０４を介してパーソナルコンピュータ３０２に伝送される。この伝送されたデジタル画像データはパーソナルコンピュータ３０２のハードディスクなどに一時的に格納される。
【０００８】
デジタルカメラ３０１からのデジタル画像データがパーソナルコンピュータ３０２に取り込まれると、パーソナルコンピュータ３０２上においてプリンタ３０３用のプリンタドライバが起動され、このプリンタドライバによりデジタルカメラ３０１から取り込まれたデジタル画像データはプリンタ３０３が記録処理可能なプリントデータに変換された後に通信ケーブル３０５を介してプリンタ３０３に出力される。プリンタ３０３は、通信ケーブル３０５を介してプリントデータを取り込み、このプリントデータに基づき該プリントデータが示す画像を記録用紙に記録して出力する。
【０００９】
しかし、上述の従来の画像記録システムでは、デジタルカメラ３０１のデジタル画像データをパーソナルコンピュータ３０２に取り込むための通信ケーブル３０４の接続、通信ソフトウェアの起動、取り込んだデジタル画像データをプリントデータに変換して出力するためのプリンタドライバの起動などのパーソナルコンピュータ３０２上における操作、作業が必要であるから、デジタルカメラで撮影された画像を得るための操作に煩雑な手間が掛り、面倒であった。
【００１０】
また、上記のような画像記録システムは規模が大きいとともにコストも高いので、このようなシステムを所有していないユーザには、デジタルカメラを使用し難いものにする要因になっている。
【００１１】
さらに、パーソナルコンピュータは普及が著しいとはいえ、実際に使いこなすにはまだ解決すべき問題が多く、持っていても使いこなせないユーザが大多数であるとの指摘もあり、これらのユーザがデジタルカメラによる撮影結果としての画像を記録するための記録処理用アプリケーションプログラムやプリンタドライバを購入してインストールしようとしてもインストール自体が困難であったり、コマンド入力の方法がわからないという不都合が生じかねないという問題点もある。
【００１２】
このような背景から、デジタルカメラが今後普及し一般家庭で通常用いられるようになるためには、低コストであり、前記フラッシュメモリ等が装着可能であって、撮影結果としての画像を記録処理する際の操作が簡単であり、電源スイッチオンで処理動作が起動される画像データ処理装置とプリンタとが一体化した画像記録装置としてのカードダイレクト印刷装置が考案されている。
【００１３】
また、デジタルカメラで撮影した画像は前記記録媒体に保存されるが、当然記録媒体には有限な量の画像しか記録しておくことは出来ない。パーソナルコンピュータを有するユーザはそのデータをハードディスク上に保存することも可能であるが、長期保存を目的としたり、他人に画像データを贈る場合には不都合が生じるので近年では比較的安価なＣＤ−Ｒへ保存するというユーザが増えている。
【００１４】
しかしながら一般にはＣＤ−Ｒへデータを保存するためにはやはり一旦画像が保存されている記録媒体からパーソナルコンピュータ上のハードディスクにコピーをし、そのハードディスク上の画像データを専用のアプリケーションを使用してＣＤ−Ｒ上にコピーする必要が生じる。
【００１５】
そこで今度は前記カードダイレクト印刷装置にＵＳＢ等の通信ケーブルを介してＣＤ−Ｒドライブを接続し、カードダイレクト印刷装置に装着されたフラッシュメモリ等の記録媒体から直接ＣＤ−Ｒメディアに記録可能なカードダイレクト印刷装置も考案されている。
【特許文献１】特開２００３−１０３８８３号公報
【発明の開示】
【発明が解決しようとする課題】
【００１６】
この様にカードダイレクト印刷装置に装着されたフラッシュメモリ等の記録媒体から直接ＣＤ−Ｒメディアに記録可能なカードダイレクト印刷装置が考案されたことによって、非常に簡便にフラッシュメモリ等に保存された画像データをＣＤ−Ｒにコピーし、保存することが可能になると当然ＣＤ−Ｒに保存する機会が増え、ユーザが保有する画像の保存されたＣＤ−Ｒメディアが増えてくる。ＣＤ−Ｒメディアにはその画像が記録されていない方の面にマジック等でコメントを記述できるタイプも存在するが画像の内容を文字で表現しても中々その内容まで類推するのは難しい。
【００１７】
そこで、パーソナルコンピュータ上ではユーザが選択したフォルダの内容を所定の形式で一覧様に印刷し、ふちに沿って切り取ることによってＣＤ−Ｒを収納するケースのジャケットを印刷するアプリケーションが開発されている。しかしながら、このアプリケーションではユーザが選択したフォルダに含まれるすべての画像を一覧様に印刷するためフォルダ内に多量の画像が存在する場合、複数のページに渡って印刷されることになる。
【００１８】
また、一般にデジタルカメラで撮影した画像データはＤＣＦ規格に準じているため所定の画像枚数を越えると別のフォルダを作成し、そのフォルダ内に新規撮影画像を保存するようになっている。
【００１９】
従ってデジタルカメラで撮影したフラッシュメモリ等のメディアの内容をＣＤ−Ｒに保存した場合、そのＣＤ−Ｒに保存されている画像の内容を簡単に類推できるジャケットを印刷するには前述の様なパーソナルコンピュータ上のアプリケーションを利用するにしてもユーザがジャケット印刷用のフォルダを作成し、一覧に使用する画像を選出する必要が有る。
【００２０】
更に、フラッシュメモリ等の内容をＣＤ−Ｒへコピーし保存するためにパーソナルコンピュータを使用しなくても済むようにカードダイレクト印刷装置に装着されたフラッシュメモリ等の記録媒体から直接ＣＤ−Ｒメディアに記録可能なカードダイレクト印刷装置を利用しているのにＣＤ−Ｒジャケットを印刷するためにパーソナルコンピュータを起動するのでは本末転倒である。
【課題を解決するための手段】
【００２１】
上記目的を達成するための本発明は画像記録装置に関し、外部接続端子にＣＤ−Ｒを接続可能で接続されたＣＤ−Ｒの記録媒体に保存された画像データを直接印刷可能なＣＤ−Ｒダイレクト印刷機能を有する記録装置において、前記記録媒体に含まれる画像データの中から所定の枚数の画像データを一覧様に印刷するＣＤ−Ｒジャケット印刷手段と、更にＣＤ−Ｒジャケット印刷機能において前記記録媒体に含まれる画像データの中から所定の枚数の画像データを抽出する際には、前記記録媒体に含まれる画像データから平均的に抽出する画像データ抽出手段と、を有することを特徴とする。
【発明の効果】
【００２２】
以上のように、本実施形態例によれば、パーソナルコンピュータのアプリケーションを利用しなくとも簡単にＣＤ−Ｒメディアに収められた画像群ＣＤ−Ｒジャケットが印刷することができる。
【００２３】
更に、そのＣＤ−ＲジャケットにはＣＤ−Ｒメディアに収められた画像群が簡単に類推できるような一覧様の印刷が行われ、その画像群から所定枚数の画像の抽出は本実施例形態の画像記録装置が自動的に行うので非常に簡単に作成することが出来る。
【発明を実施するための最良の形態】
【００２４】
図４は本発明の画像データ処理装置を備えた画像記録装置を示す概略斜視図である。
【００２５】
４０１は本発明に適用可能なインクジェットプリンタの一例である。なお、本実施形態例ではプリンタとしてインクジェットプリンタを用いているが、これには限らず、熱転写プリンタ（溶解型、昇華型）、ドットプリンタ、レーザープリンタ、ＬＥＤプリンタなど、あらゆるプリンタが適用可能である。
【００２６】
４０７はユーザの操作を受け付けるユーザＩ／Ｆ部分であり、ユーザはこのＩ／Ｆに設けられたキーを押下することによってデジタル画像データの選択や印字モードの指定を行う。
【００２７】
４０２はコンパクトフラッシュ（登録商標）カードであり、４０３はＰＣＭＣＩＡカードアダプタと呼ばれ、コンパクトフラッシュ（登録商標）４０２をＰＣＭＣＩＡ規格のカード接続部に拡張するためのアダプタである。４０４は上述したようにデジタル画像データが格納されているＰＣＭＣＩＡカードの記録媒体を接続する記録媒体接続部である。記録媒体接続部４０４は、記録媒体に格納されているデジタル画像データを読み出すためのものであり、記録媒体接続部４０４に記録媒体を差し込むことで記録媒体は画像データ処理装置３０１に接続され、画像データ処理装置４０１はその接続された記録媒体からデジタル画像データを読み出すことが出来る。
【００２８】
また、４０５はＣＤ−Ｒドライブであり、ＵＳＢ等の通信ケーブルを介して本画像記録装置の外部デバイス接続部４０６に接続することができる。この外部デバイス接続部に接続されたデバイスがＣＤ−Ｒドライブのようなストレージであった場合、前記記録媒体から画像データ処理装置３０１に接続されたのと同様にＣＤ−Ｒドライブ４０５と画像データ処理装置３０１が接続されＣＤ−Ｒドライブ４０５に記録されたデジタル画像データを読み出すことが出来る。
【００２９】
ここでインクジェットプリンタ３０１ではコンパクトフラッシュ（登録商標）４０２やＣＤ−Ｒドライブ４０５から読み出したデータをユーザＩ／Ｆ４０７で指定することにより、印刷を行うことが可能である。ユーザＩ／Ｆ４０７には、画像データの読み込み結果、例えば、格納されているデジタル画像データの個数情報などが表示される。ユーザはユーザＩ／Ｆ４０７を介して、所望の画像を選択する為にインデックスプリントモードを指定し、プリントしたいデジタル画像データの開始番号と終了番号を入力する。この時、開始番号が終了番号より小さい場合は、開始番号の画像から終了番号の画像まで、順次連続印刷してゆく。また、開始番号が終了番号より大きい場合は、開始番号の画像から終了番号の画像まで、逆順に出力された画像が得られる。
【００３０】
更に、本実施例では前記コンパクトフラッシュ（登録商標）のような記録媒体接続部４０４に接続された記録媒体から外部デバイス接続部４０６に接続されたＣＤ−Ｒドライブ４０５へその画像データをコピーし、保存することが可能な構成となっている。
【００３１】
ここで、本発明の特徴的部分である、ＣＤ−Ｒジャケット印刷について説明する。
【００３２】
ＣＤ−Ｒジャケット印刷とは図１で示されるような形式の印刷のことであり、ここで１０２は表紙の画像であってユーザがＣＤ−Ｒの画像の中から任意に選択するものである。また１０３は所定の個数の画像を一覧様に印刷するものであって、この画像群はＣＤ−Ｒの中身を類推しやすいように本記録装置が自動的に抽出する。
【００３３】
本実施例では外部デバイス接続部４０６に接続されたＣＤ−Ｒドライブ４０５へその画像データをコピーし保存した場合、コピー終了後ユーザＩ／Ｆ４０７はユーザにＣＤ−Ｒジャケットを印刷するか問い合わせの画面を表示する。ここでユーザが「はい」を選択すると画像記録装置４０１は接続されたＣＤ−ＲドライブからＣＤ−Ｒジャケットを印刷するモードに推移し、ユーザに表紙の画像を選択させる。ユーザが表紙の画像を選択すると自動的にＣＤ−Ｒ内に収められている画像群から所定の個数の画像を抽出し、ＣＤ−Ｒジャケットを印刷する。
【００３４】
また、上記ＣＤ−Ｒ内に収められている画像群から所定の個数の画像を抽出するアルゴリズムを図２のフローチャートで詳細に説明する。なお、ＣＤ−Ｒメディア内に収められている画像群は階層構造を持つ、いくつかのフォルダに分割して保存されているが、あらかじめ以下の処理がしやすいように一連のリストあるいは配列として並べられているものとする。
【００３５】
まず、このＣＤ−Ｒジャケットの一覧様に印刷する画像数をＭとする。本実施例ではＭ＝２５枚の画像一覧を印刷することが出来るものとする。
【００３６】
このＣＤ−Ｒメディア内に収められている画像数ＮがＮ≦２５のとき、２５＜Ｎ≦５０のとき、５０＜Ｎのときで次のように画像を抽出する（Ｓ２０１）。
【００３７】
１．Ｎ≦Ｍ（Ｎ≦２５）のとき
このときは全画像が印刷可能なので全画像を印刷する（Ｓ２０２）
２．Ｍ＜Ｎ≦２Ｍ（２５＜Ｎ≦５０）のとき
この時は全画像のなかからＮ−２５枚の画像を間引かなければならない。
【００３８】
例えばＮ＝４０の場合４０−２５＝１５枚の画像を間引いて印刷する画像を抽出しなければならない。
【００３９】
まず、ｐ＝Ｍ／Ｎとする（Ｓ２０３）。本実施例ではｐ＝２５／４０＝０．６２５である。
【００４０】
ａ＝ｎ＝１とし、ｂ＝０．５＋ｐとし、さらに１枚目の画像に画像番号１を割り当てる（Ｓ２０４）。本実施例ではｂ＝０．５＋０．６２５＝１．１２５となる。なお、Ｆｒａｍｅ［ｎ］はｎ枚目の画像として割り当てられる画像番号を指すものとする。
【００４１】
ａ＝ａ＋１を演算する（Ｓ２０５）。この時点でａ＝２となる。
【００４２】
ｂ＝ｂ＋ｐを演算する（Ｓ２０６）。この時点でｂ＝１．１２５＋０．６２５＝１．７５
Ｆｒａｍｅ［ｎ］とＩＮＴ（ｂ）を比較するが（Ｓ２０７）、今ｎ＝１であり、ＩＮＴ（１．７５）＝１であるのでＦｒａｍｅ［１］と１の比較となり、一致する。
【００４３】
この比較が一致したのでａ＝ａ＋１を演算する（Ｓ２０５）。ここでａ＝３となる。
【００４４】
また、ｂ＝ｂ＋ｐを演算する（Ｓ２０６）。ここでｂ＝１．７５＋０．６２５＝２．３７５である。
【００４５】
Ｆｒａｍ［ｎ］とＩＮＴ（ｂ）を比較すると（Ｓ２０７）、今ｎ＝１のままであり、ＩＮＴ（２．３７５）＝２であるので一致しない。従ってｎ＝ｎ＋１を演算し（Ｓ２０８）ｎ＝２となる。さらにｎ＝２であるからＦｒａｍｅ［２］としてａ＝３を割り当てる（Ｓ２０９）。これは即ち２枚目の画像として画像番号３が割り当てられたことを示している。
【００４６】
以上ステップをｎの値がＭ（＝２５）を越えるまで続ける（Ｓ２１０）。今ｎ＝２であり、Ｍ＝２５と比較すると小さいので再びＳ２０５へ戻る。
【００４７】
ｎ＞Ｍとなった時点でＳ２１７へ移り処理は終了するが、これでＮ枚の中からＭ枚の画像を抽出することができる。
【００４８】
３．  ２Ｍ＜Ｎ（５０＜Ｎ）のとき
この時は例えばＮ＝６０の場合６０枚の中から２５枚だけを抽出しなければならない。
【００４９】
まず、ｐ＝Ｎ／Ｍとする（Ｓ２１０）。本実施例ではｐ＝６０／２５＝２．４である。
【００５０】
ａ＝ｎ＝１とし、さらにＦｒａｍｅ［１］＝１として１枚目の画像に画像番号１を割り当てる（Ｓ２１１）。
【００５１】
ａ＝ａ＋ｐを演算する（Ｓ２１３）。この時点でａ＝３．４となる。
【００５２】
ｎ＝ｎ＋１を演算する（Ｓ２１４）。この時点でｎ＝２となる。
【００５３】
Ｆｒａｍｅ［ｎ］＝ＩＮＴ（ａ）を実行するが、今ｎ＝２であるからＦａｍｅ［２］＝ＩＮＴ（３．４）＝３すなわち２枚目の画像として画像番号３が割り当てられたことを示している。
【００５４】
以上ステップをｎの値がＭ（＝２５）を越えるまで続ける（Ｓ２１６）。今ｎ＝２であり、Ｍ＝２５と比較すると小さいので再びＳ２１３へ戻る。
【図面の簡単な説明】
【００５５】
【図１】本発明に基づく記録装置の特徴であるＣＤ−Ｒジャケット印刷結果の概略図である。
【図２】本発明に基づく記録装置でＣＤ−Ｒメディアに収められた画像群から所定枚数の画像を抽出するアルゴリズムを示すフローチャートである。
【図３】従来のデジタルカメラとパーソナルコンピュータ、パーソナルコンピュータとプリンタを接続したときの模式図である。
【図４】本発明に基づく記録装置の概略斜視図である。
【符号の説明】
【００５６】
１０１  ＣＤ−Ｒジャケット印刷結果
１０２  表紙ページ
１０３  一覧様印刷ページ
３０１  デジタルカメラ
３０２  パーソナルコンピュータ
３０３  プリンタ
４０１  プリンタ
４０２  コンパクトフラッシュ（登録商標）カード
４０３  ＰＣＭＣＩＡアダプタ
４０４  ＰＣＭＣＩＡ接続部（ＰＣＭＣＩＡスロット）
４０５  ＣＤ−Ｒドライブ
４０６  外部デバイス接続部
【図１】
2006168199.tif 000003
【図２】
2006168199.tif 000004
【図３】
2006168199.tif 000005
【図４】
2006168199.tif 000006